(57)【要約】【課題】ピンオンリールに取り付けたはさみを安全に携帯できるようにすることである。【解決手段】ピンオンリール１のケーシング５に、はさみ２０の刃部２１を収納する刃収納部１２を設けることにより、携帯時にはさみ２０の刃部２１が露出しないようにして、ピンオンリール１に取り付けたはさみ２０を安全に携帯できるようにした。【選択図】図１
2012011073.tif 000002
【特許請求の範囲】
【請求項１】
着衣への係止具が設けられたピンオンリールのケーシング内に、糸部材の巻き取り方向に回転付勢されたスプールを設けて、このスプールにケーシング外へ引き出し可能に巻き取られた糸部材の先端にスナップ部材を連結し、このスナップ部材にはさみを取り付けたピンオンリール付はさみにおいて、前記ピンオンリールのケーシングに、前記はさみの刃部を収納する刃収納部を設けたことを特徴とするピンオンリール付はさみ。
【請求項２】
前記はさみの一対の把手を、それぞれに指が差し込まれるリング状のものとし、この一対の把手の一方に、前記スナップ部材を前記把手のリング状部に沿って移動可能に取り付けた請求項１に記載のピンオンリール付はさみ。
【請求項３】
前記リング状部に沿って移動可能に取り付けたスナップ部材を、前記一対の把手のいずれにも付け替え可能とした請求項２に記載のピンオンリール付はさみ。
【請求項４】
前記スナップ部材をリング状部に沿って移動可能に取り付ける手段が、前記リング状部の両側面に、リング状部に沿って延びる凹溝を設け、前記スナップ部材に、前記両側面の凹溝に両側から対向するように差し込まれる一対の爪部を設け、これらの各凹溝に差し込まれた一対の爪部を各凹溝に沿ってスライドさせるものである請求項２または３に記載のピンオンリール付はさみ。
【請求項５】
前記係止具を前記着衣に向けられるピンオンリールの側面に設け、この側面と平行な面内で３６０°回転自在とした請求項１乃至４のいずれかに記載のピンオンリール付はさみ。
【発明の詳細な説明】
【技術分野】
【０００１】
本発明は、釣糸等の切断に使用するはさみをピンオンリールに取り付けたピンオンリール付はさみに関する。
【背景技術】
【０００２】
釣糸等の切断に使用するはさみは、直ぐに使用できるように、着衣に係止されるピンオンリールに取り付けて携帯されることがある（例えば、特許文献１、２参照）。ピンオンリールは、ケーシング内に糸部材の巻き取り方向へ回転付勢されたスプールを設けて、スプールにケーシング外へ引き出し可能に巻き取られた糸部材の先端に、はさみやラインカッタ等の釣用小道具を取り付けるスナップ部材を連結したものであり、安全ピンやクリップ等の係止具によって、着衣の胸ポケット等に係止される（例えば、特許文献３参照）。したがって、ピンオンリールのスナップ部材に取り付けられた釣用小道具を引っ張ることにより、スナップ部材に連結された糸部材が引き出され、釣用小道具を自由度のある糸部材に連結された状態で使用することができ、釣用小道具を紛失する恐れもない。
【０００３】
特許文献１に記載されたものは、はさみの一対のリング状把手の一方に、ピンオンリールのスナップ部材を取り付けている。また、特許文献２に記載されたものは、はさみの一対の挟持部材の支点近くに貫通孔を設け、これらの貫通孔に通したリングに、ピンオンリールのスナップ部材を取り付けている。
【先行技術文献】
【特許文献】
【０００４】
【特許文献１】特開平１０−３３１００９号公報
【特許文献２】特開２００３−２００３５６号公報
【特許文献３】特開２００１−２９２６７３号公報
【発明の概要】
【発明が解決しようとする課題】
【０００５】
特許文献１、２に記載されたように、ピンオンリールのスナップ部材に取り付けたはさみは、携帯時に刃部が露出し、刃部が開くこともあるので、釣人の手等を傷付ける恐れがある。また、釣人が転倒したときは、刃部が胸等に突き刺さる恐れもあり、非常に危険である。
【０００６】
そこで、本発明の課題は、ピンオンリールに取り付けたはさみを安全に携帯できるようにすることである。
【課題を解決するための手段】
【０００７】
上記の課題を解決するために、本発明は、着衣への係止具が設けられたピンオンリールのケーシング内に、糸部材の巻き取り方向に回転付勢されたスプールを設けて、このスプールにケーシング外へ引き出し可能に巻き取られた糸部材の先端にスナップ部材を連結し、このスナップ部材にはさみを取り付けたピンオンリール付はさみにおいて、前記ピンオンリールのケーシングに、前記はさみの刃部を収納する刃収納部を設けた構成を採用した。
【０００８】
すなわち、ピンオンリールのケーシングに、はさみの刃部を収納する刃収納部を設けることにより、携帯時にはさみの刃部が露出しないようにして、ピンオンリールに取り付けたはさみを安全に携帯できるようにした。また、このはさみは、ピンオンリールのスプールの回転付勢で巻き取られる糸部材によって、刃部が刃収納部へ自然に引き込まれるので、簡単に刃部を収納できるとともに、収納された刃部の抜け止め手段も特に必要としない利点もある。
【０００９】
前記はさみの一対の把手を、それぞれに指が差し込まれるリング状のものとし、この一対の把手の一方に、前記スナップ部材を前記把手のリング状部に沿って移動可能に取り付けることにより、はさみの使用時にスナップ部材を把手の刃部と反対側へ移動させ、はさみで釣糸等を切断するときに、スナップ部材に連結された糸部材が邪魔にならないようにすることができる。なお、はさみの刃部を収納したときは、スプールの回転付勢によって糸部材が巻き取られるので、スナップ部材は把手の刃部側へ移動する。
【００１０】
前記リング状部に沿って移動可能に取り付けたスナップ部材を、前記一対の把手のいずれにも付け替え可能とすることにより、釣人が右利きか左利きかによって、スナップ部材をいずれかの把手に付け替え、はさみの使い勝手をよくすることができる。
【００１１】
前記スナップ部材をリング状部に沿って移動可能に取り付ける手段としては、前記リング状部の両側面に、リング状部に沿って延びる凹溝を設け、前記スナップ部材に、前記両側面の凹溝に両側から対向するように差し込まれる一対の爪部を設け、これらの各凹溝に差し込まれた一対の爪部を各凹溝に沿ってスライドさせる手段を採用することができる。
【００１２】
前記係止具を前記着衣に向けられるピンオンリールの側面に設け、この側面と平行な面内で３６０°回転自在とすることにより、ケーシングに刃部が収納されたはさみを、任意の方向へ容易に取り出すことができる。
【発明の効果】
【００１３】
本発明に係るピンオンリール付はさみは、ピンオンリールのケーシングに、はさみの刃部を収納する刃収納部を設けたので、ピンオンリールに取り付けたはさみを安全に携帯することができる。このはさみは、ピンオンリールのスプールで巻き取られる糸部材によって、刃部が刃収納部へ自然に引き込まれるので、簡単に刃部を収納できるとともに、収納された刃部の抜け止め手段も特に必要としない。
【図面の簡単な説明】
【００１４】
【図１】第１の実施形態のピンオンリール付はさみを示す縦断側面図
【図２】図１の縦断背面図
【図３】図１の背面図
【図４】図１のケーシングの分解斜視図
【図５】（ａ）は図１のクリップを拡大して示す側面図、（ｂ）は（ａ）の顎部材を閉じた状態を示す側面図
【図６】図１のはさみを使用のために引き出した状態を示す正面図
【図７】第２の実施形態のピンオンリール付はさみを示す縦断側面図
【図８】図７のはさみを使用のために引き出した状態を示す正面図
【発明を実施するための形態】
【００１５】
以下、図面に基づき、本発明の実施形態を説明する。図１乃至図６は、第１の実施形態を示す。このピンオンリール付はさみは、図１乃至図３に示すように、着衣への係止具としてのクリップ２を設けたピンオンリール１の糸部材３の先端に連結されたスナップ部材４に、釣糸等の切断に使用するはさみ２０を取り付けたものであり、はさみ２０の刃部２１が露出しないように、ピンオンリール１のケーシング５に収納されるようになっている。
【００１６】
前記糸部材３は、ケーシング５内のスプールケース６に組み込まれたスプール７に、ケーシング５外へ引き出し可能に巻き取られており、スプール７は、糸部材３を巻き取る方向に、内周側のぜんまいバネ８によって軸部９の回りに回転付勢されている。
【００１７】
前記はさみ２０は、一対の把手２２が指の差し込まれるリング状に形成され、各把手２２の両側面に、リング状部に沿って延びる凹溝２２ａが設けられている。また、はさみ２０の刃部２１の先には、釣針等を挟むためのプライヤ部２３が、刃部２１と傾斜角を持たせて設けられている。
【００１８】
前記スナップ部材４は可撓性を有する樹脂材料で形成され、対向する一対の爪部４ａが設けられており、これらの爪部４ａが、いずれか一方のリング状把手２２の両側面の凹溝２２ａに両側から差し込まれ、各凹溝２２ａに沿ってスライド可能とされている。スナップ部材４は、はさみ２０の刃部２１がケーシング５に収納された状態では、スプール７の回転付勢による糸部材３の巻き取りによって、把手２２の刃部２１側へ移動している。また、はさみ２０の刃部２１は、スナップ部材４に連結された糸部材３によって、ケーシング５の中へ自然に引き込まれるので、簡単に刃部２１を収納できるとともに、収納された刃部２１の抜け止め手段も特に必要としない。
【００１９】
前記スナップ部材４は、樹脂材料の可撓性を利用して、対向する一対の爪部４ａを押し拡げることにより、他方の把手２２の各凹溝２２ａに付け替えることができる。したがって、釣人が右利きか左利きかに関らず、はさみ２０の使い勝手をよくすることができる。
【００２０】
図４に示すように、前記ケーシング５は、内面合わせされる一対の表裏部材５ａ、５ｂをボルト１０とナット１１で結合したものであり、表部材５ａの内側に、はさみ２０の刃部２１とプライヤ部２３を閉じた状態で収納するように、尖った二等辺三角形状の刃収納部１２が設けられている。裏部材５ｂの内側には、スプールケース６を収納する円形のスプールケース収納部１３が設けられており、スプールケース収納部１３には、後述するクリップ２が取り付けられたスプールケース６の裏面を露出させる窓１３ａが設けられている。また、裏部材５ｂには、スプールケース６から糸部材３を導出する糸導出部１４と、表部材５ａの刃収納部１２の先端部に合わせられる刃先収納部１５も設けられている。したがって、図１に示したように、ケーシング５の表面側にはさみ２０の刃部２１が収納され、裏面側にスプールケース６が収納される。
【００２１】
図５（ａ）、（ｂ）に示すように、前記クリップ２は、スプールケース６の裏面側に取り付けられたベース部材２ａと、ベース部材２ａに回動可能に取り付けられた顎部材２ｂと、顎部材２ｂを回動させるレバー部材２ｃとからなり、図５（ｂ）に示すように、レバー部材２ｃを顎部材２ｂ側の前方へ倒すことにより、顎部材２ｂがベース部材２ａ側へ閉じて、着衣のポケット等の縁部を挟み込む。顎部材２ｂとベース部材２ａには、着衣の縁部を挟み込んだときに互いに噛み合う歯部１６と凹部１７が設けられている。
【００２２】
また、前記ベース部材２ａは、図５（ａ）に示すように、スプールケース６の裏面側に突出する軸部９に回転自在に取り付けられており、スプールケース収納部１３の窓１３ａから露出して、ケーシング５の着衣に向けられる裏側面と平行な面内で３６０°回転自在とされている。したがって、ケーシング５に刃部２１が収納されたはさみ２０を、任意の方向へ容易に取り出すことができる。
【００２３】
図６は、前記はさみ２０を使用するために、刃部２１をケーシング５から引き出した状態を示す。はさみ２０の刃部２１はケーシング５と反対側に向けられており、把手２２に取り付けられたスナップ部材４が、凹溝２２ａに沿って刃部２１と反対側へ移動している。したがって、釣糸等を切断するときに、スナップ部材４に連結された糸部材３が邪魔になることはない。
【００２４】
図７および図８は、第２の実施形態を示す。このピンオンリール付はさみは、基本的な構成は第１の実施形態のものと同じであり、前記はさみ２０が刃部２１の先にプライヤ部２３のないものとされ、ケーシング５が刃部２１のみを収容できるように短くなっている点が異なる。その他の部分は、第１の実施形態のものと同じであり、ケーシング５の表面側にはさみ２０の刃部２１が収納され、裏面側にスプールケース６が収納されており、着衣に向けられる裏面側に設けられたクリップ２が、裏側面と平行な面内で３６０°回転自在とされている。また、スナップ部材４は、はさみ２０の把手２２に設けられた凹溝２２ａに沿って移動可能に取り付けられ、一対の把手２２のいずれにも付け替え可能とされている。
【００２５】
上述した各実施形態では、ピンオンリールのスプールをケーシングに収納された別体のスプールケースに組み込み、係止具としてのクリップをスプールケースに取り付けたが、スプールは直接ケーシングに組み込んでもよく、クリップはケーシングに取り付けてもよい。また、係止具をクリップとしたが、安全ピン等の他の係止具としてもよい。
【符号の説明】
【００２６】
１  ピンオンリール
２  クリップ
２ａ  ベース部材
２ｂ  顎部材
２ｃ  レバー部材
３  糸部材
４  スナップ部材
４ａ  爪部
５  ケーシング
５ａ  表部材
５ｂ  裏部材
６  スプールケース
７  スプール
８  ぜんまいバネ
９  軸部
１０  ボルト
１１  ナット
１２  刃収納部
１３  スプールケース収納部
１３ａ  窓
１４  糸導出部
１５  刃先収納部
１６  歯部
１７  凹部
２０  はさみ
２１  刃部
２２  把手
２２ａ  凹溝
２３  プライヤ部
【図１】
2012011073.tif 000003
【図２】
2012011073.tif 000004
【図３】
2012011073.tif 000005
【図４】
2012011073.tif 000006
【図５】
2012011073.tif 000007
【図６】
2012011073.tif 000008
【図７】
2012011073.tif 000009
【図８】
2012011073.tif 000010